(57)【要約】【課題】水中の目地空間内に液状充填材を完全に充填することにより止水を達成する方法を提供する。【解決手段】次の諸工程を備える水中目地空間の止水方法（１）液状充填材を充填すべき目地空間の横断面の面積以上の横断面面積を有する目地止水用の袋を用意する工程（２）袋を折込んだ状態でその底部に錘を入れて目地空間内に吊り降ろす工程（３）袋の底面が目地空間の底面に着床した後液状充填材を袋の注入し、液状充填材の圧力により袋の折込みを押し開き、目地空間の壁面に袋の外側面が圧着するもで液状充填材の充填を継続する工程（４）充填を完了した後液状充填材を固化する工程。【選択図】  図６
2005054553.tif 000002
【特許請求の範囲】
【請求項１】
次の諸工程を備える水中目地空間の止水方法
（１）液状充填材を充填すべき目地空間の横断面の面積以上の横断面面積を有する目地止水用の袋を用意する工程
（２）袋の底部に錘を入れて目地空間内に吊り降ろす工程
（３）袋の底面が目地空間の底面に着床した後液状充填材を袋に注入し、液状充填材の圧力により袋が徐々に押し開かれ、目地空間の壁面に袋の外側面が圧着するまで液状充填材の充填を継続する工程
（４）充填を完了した後液状充填材を固化する工程。
【請求項２】
次の諸工程を備える目地空間の止水方法
（１）液状充填材を充填すべき目地空間の横断面の面積以上の横断面面積を有し、かつ袋を折込んだ状態と袋を拡開可能な状態との間に切り換えることが可能な袋折込み保持手段と目地空間外からの遠隔操作によりこの袋折込み保持手段を操作して袋を折込んだ状態から拡開可能な状態に切り換える遠隔操作手段とを備える目地止水用の袋を用意する工程
（２）地上で袋に液状充填材を充填する工程
（３）液状充填材を充填しかつ折込んだ状態の袋を目地空間内に吊り降ろす工程
（４）袋の底面が目地空間の底面に着床した後遠隔操作手段により袋折込み保持手段を操作して袋を拡開可能な状態に切り換える工程
（５）袋に液状充填材を注入し液状充填材の圧力により袋の折込みを押し開き、目地空間の壁面に袋の外側面が圧着するまで液状充填材の充填を継続する工程
（６）充填を完了した後液状充填材を固化する工程。
【請求項３】
該袋折込み保持手段は、袋の折込み部の一端部において袋の長手方向に所定間隔で設けられそれぞれ袋の長手方向において開く貫通孔を備える複数の第１の部材と、袋の折込み部の他端部において隣合う第１の部材のほぼ中間位置に設けられそれぞれ第１の部材の貫通孔と袋の長手方向において合致する貫通孔を備える複数の第２の部材からなり、該遠隔操作手段は第１の部材と第２の部材の各貫通孔を引抜き可能に貫通するようにして配置されたワイヤからなる請求項２記載の止水方法。
【請求項４】
該折込み保持手段は袋の折込み部の一端部と他端部を開閉自在に結合するファスナーであり、該遠隔操作手段は該ファスナーの開閉用つまみに固定されたワイヤである請求項２記載の止水方法。
【発明の詳細な説明】
【発明の詳細な説明】
【技術分野】
【０００１】  本発明は，廃棄物埋立護岸等に使用される鋼管矢板継手部等の水中目地空間の止水方法に関する。
【背景技術】
【０００２】  廃棄物埋立護岸等として多数の鋼管を連続して地中に打設する二重鋼管矢板による護岸構造が使用されている。１例として特許文献１に従来技術として示される二重鋼管矢板がある。この二重鋼管矢板構造においては、図１０の平面図のように隣会う鋼管３０、３１はその間に設けられる継手３２により接続される。継手３２は、鋼管３１の長手方向に伸びるようにして鋼管３１に溶接されるＴ形鋼３３と、鋼管３０の長手方向に伸びるようにして鋼管３０に溶接されたパイプ３４からなり、パイプ３４には、鋼管３１に向き合う側にＴ形鋼を挿入するための溝３４ａが長手方向に切られており、Ｔ形鋼３３はパイプ３４内に収容されている。この継手３２を施工する場合は、パイプ３４の中の土砂を掘り出して外部に排出した後パイプ３４内にモルタル等の液状充填材３５を注入充填することによりＴ形鋼３３をパイプ３４に固定するとともに鋼管３０、３１間の止水を行うことができる。【０００３】
【特許文献１】    特開２００２−２８５６４８号公報
【発明が解決しようとする課題】
【０００４】  二重鋼管矢板による埋立護岸の継手３２のパイプ３４に充填する充填材としてモルタルは安価な材料であるが、固化した後に生じる地盤変動等によりひび割れが生じ易く、このひび割れを伝って漏水が生じるおそれがある。そこで、より好ましい液状充填材として最近アスファルトマスチックを使用する案が浮上し研究されている。アスファルトマスチックは、追随性、可撓性、不分離性、耐久性、不透水性、充填性、無公害性に優れ、固化した後に地盤変動等が生じてもモルタルのようにひび割れを生じることなく地盤変動に追随して流動する性質を有するので、止水機能を長期にわたって維持することが期待できる。
【０００５】  しかしながら、アスファルトマスチックを充填材として使用するには次に述べる困難な問題がある。すなわち二重鋼管矢板の継手３２においては、上記のように、施工に際して継手を構成するパイプ３４内の土砂を掘って外部に排出するのでその後に目地空間が形成されるが、その底面から泥水が湧き上がり、またパイプ３４のＴ形鋼挿入溝３４ａとＴ形鋼３３の間には隙間があるので、外部の土砂や泥水がこの隙間からパイプ３４の内部空間に侵入する結果、パイプ３４の内部空間は泥水で充満された状態になる。この状態で、加熱により液状とされたアスファルトマスチックをパイプ３４の内部空間に注入すると、アスファルトマスチックは水中を落下する間に冷却され、固化が進み、長尺のパイプにおいてはアスファルトマスチックはパイプ３４の底まで到達する前に固化してその後のアスファルトマスチックの充填を妨げる結果、パイプ３４の下部空間はアスファルトマスチックが充分に充填されないままで充填作業が終了し、この部分で止水およびＴ形鋼の固定が不完全になってしまう。
【０００６】  また二重鋼管矢板による護岸構造に限らず、Ｈ形鋼矢板による護岸構造等水中の目地空間に止水のため液状アスファルトマスチックを充填する場合にも同様の問題が生じる。
【０００７】  本発明は、アスファルトマスチック等の液状充填材を用いて水中の目地空間を止水する場合に生じる上記の問題を解決することを目的とするものであって、水中の目地空間内にアスファルトマスチック等の液状充填材を完全に充填することにより完全な止水を達成することができる止水方法を提供しようとするものである。
【課題を解決するための手段】
【０００８】  本発明によれば、次の諸工程を備える水中目地空間の止水方法が提供される。
（１）液状充填材を充填すべき目地空間の横断面の面積以上の横断面面積を有する目地止水用の袋を用意する工程
（２）袋の底部に錘を入れて目地空間内に吊り降ろす工程
（３）袋の底面が目地空間の底面に着床した後液状充填材を袋に注入し、液状充填材の圧力により袋が徐々に押し開かれ、目地空間の壁面に袋の外側面が圧着するまで液状充填材の充填を継続する工程
（４）充填を完了した後液状充填材を固化する工程。
【０００９】  また、本発明によれば、他の方法として次の諸工程を備える目地空間の止水方法が提供される。
（１）液状充填材を充填すべき目地空間の横断面の面積以上の横断面面積を有し、かつ袋を折込んだ状態と袋を拡開可能な状態との間に切り換えることが可能な袋折込み保持手段と目地空間外からの遠隔操作によりこの袋折込み保持手段を操作して袋を折込んだ状態から拡開可能な状態に切り換える遠隔操作手段とを備える目地止水用の袋を用意する工程
（２）地上で袋に液状充填材を充填する工程
（３）液状充填材を充填しかつ折込んだ状態の袋を目地空間内に吊り降ろす工程
（４）袋の底面が目地空間の底面に着床した後遠隔操作手段により袋折込み保持手段を操作して袋を拡開可能な状態に切り換える工程
（５）袋に液状充填材を注入し液状充填材の圧力により袋の折込みを押し開き、目地空間の壁面に袋の外側面が圧着するまで液状充填材の充填を継続する工程
（６）充填を完了した後液状充填材を固化する工程。
【００１０】  前記他の方法において、該袋折込み保持手段は、袋の折込み部の一端部において袋の長手方向に所定間隔で設けられそれぞれ袋の長手方向において開く貫通孔を備える複数の第１の部材と、袋の折込み部の他端部において隣合う第１の部材のほぼ中間位置に設けられそれぞれ第１の部材の貫通孔と袋の長手方向において合致する貫通孔を備える複数の第２の部材からなり、該遠隔操作手段は第１の部材と第２の部材の各貫通孔を引抜き可能に貫通するようにして配置されたワイヤからなるものである。
【００１１】  また、前記他の方法において、該折込み保持手段の他の実施形態は袋の折込み部の一端部と他端部を開閉自在に結合するファスナーであり、該遠隔操作手段の他の実施形態は該ファスナーの開閉用つまみに固定されたワイヤである。またはマジックテープによる結合方法や紐で開けるセメント袋の開封方法を使用することもできる。
【発明を実施するための最良の形態】
【００１２】  以下添付図面について本発明の実施の形態について詳細に説明しよう。
図１〜図６は本発明の止水方法を二重鋼管矢板の継手部に適用した例を示すもので、袋に錘を入れて吊り降ろす実施形態を示すものである。図１は継手部の平面図、図２〜図５は袋の斜視図、図６は継手部の平面図である。本実施形態においては、液状充填材としてアスファルトマスチックを使用するものとして説明する。【００１３】  この実施形態において、止水方法は次の各工程からなるものである。
（１）液状充填材を充填すべき目地空間の横断面の面積以上の横断面面積を有する目地止水用の袋を用意する工程
（２）袋を折込んだ状態でその低部に錘を入れて目地空間内に吊り降ろす工程
（３）袋の底面が目地空間の底面に着床した後液状充填材を袋に注入し、液状充填材の圧力により袋の折込みを押し開き、目地空間の壁面に袋の外側面が圧着するまで液状充填材の充填を継続する工程
（４）充填を完了した後液状充填材を固化する工程
本発明の方法に使用する袋としては、軽量で、柔軟性、防水性に富み、また加熱溶融したアスファルトマスチックを充填するので１５０℃以上の耐熱性を有し、かつ充填材を含む重量の倍以上の強度を有するものが好ましい。具体的にはたとえば炭素繊維からなる袋にゴムコーテイングを施したものなどが好適である。【００１４】  袋の横断面の面積（袋の外径で計った面積）は充填材を充填すべき目地空間（本実施形態においてはパイプ内においてＴ形鋼の外側の目地空間）の横断面の面積と等しいかそれよりもある程度（例：１０％）大きいことが必要である。袋の横断面の面積が目地空間の横断面の面積よりも小さいと、袋に充填材を充填しても袋の外周面と目地空間の外周面との間に隙間が生じ、止水が完全に行われないおそれがある。また袋は目地空間の高さ以上の長さを有することが好ましい。【００１５】  図１および図２に示すように、袋１の底部１ａに複数の球形の鉄錘等の錘２を入れ、袋１を折込んだ状態でパイプ３内の目地空間４内にクレーン等を使って吊り降ろす。袋１は底部１ａ錘２があり、かつ折込んだ状態であるので、目地空間４内の水中を容易に下降する。なお、図１において、６．６’は鋼管、７は継手、８はＴ形鋼を示す。【００１６】  図３に示すように袋１の底面１ｂが目地空間４の底面に着床したら、図４に示すように、液状充填材（アスファルトマスチック）５を袋１に注入する。袋１は図３に示すように底部１ａが散らばった球形錘２により拡開した状態にあり、注入された充填材５の自重により生じる圧力により、水圧で閉ざされた部分が図４中矢印で示すように徐々に押し広げられて充填材５が下降して拡開した底部１ａに至る。なお、袋１の水圧で閉ざされた部分の拡開を促進するために補助的に何らかの冶具を使用してもよい。こうして充填を継続すると、図５に示すように、充填材５が袋１の全体に充填され、図６の平面図に示すように、目地空間４の壁面すなわちパイプ３の内周面３ａに膨らんだ袋１の外周面１ｃが圧着する。【００１７】  充填を完了した後所定時間が経過すると充填材が冷却し固化することにより目地空間４の止水が完成する。【００１８】  図７および図８は本発明の他の実施形態を示す。この実施形態は、袋折込み保持手段を使用するもので、図７は袋折込み保持手段を使用して袋を折込んだ状態を示す斜視図、図８は袋を折込んだ状態でパイプ内に吊り降ろした状態を示す平面図である。なお、図８、９において、図１〜図６の実施形態と同一構成要素は同一符号で示し、その説明を省略する。【００１９】  この実施形態は次の各工程からなるものである。
（１）液状充填材を充填すべき目地空間の横断面の面積以上の横断面面積を有し、かつ袋を折込んだ状態と袋を拡開可能な状態との間に切り換えることが可能な袋折込み保持手段と目地空間外からの遠隔操作によりこの袋折込み保持手段を操作して袋を折込んだ状態から拡開可能な状態に切り換える遠隔操作手段とを備える目地止水用の袋を用意する工程
（２）袋を折込んだ状態で袋に液状充填材を充填する工程
（３）液状充填材を充填した折込んだ状態の袋を目地空間内に吊り降ろす工程
（４）袋の底面が目地空間の底面に着床した後遠隔操作手段により袋折込み保持手段を操作して袋を拡開可能な状態に切り換える工程
（５）袋に液状充填材を注入し液状充填材の圧力により袋の折込みを押し開き、目地空間の壁面に袋の外側面が圧着するまで液状充填材の充填を継続する工程
（６）充填を完了した後液状充填材を固化する工程【００２０】  この実施形態において使用する袋１０の寸法と材質については上記袋１と同様のものを使用することができる。この袋１０が袋１と異なる点は、袋１０が袋を折込んだ状態と袋を拡開可能な状態との間に切り換えることが可能な袋折込み保持手段１１と目地空間外からの遠隔操作によりこの袋折込み保持手段１６を操作して袋１０を折込んだ状態から拡開可能な状態に切り換える遠隔操作手段１２とを備えることである。【００２１】  袋折込み保持手段１１は、袋の折込み部１３の一端部１３ａにおいて袋１０の長手方向に所定間隔で設けられそれぞれ袋１０の長手方向において開口する貫通孔１４ａを備える複数の第１の部材１４と、袋１０の折込み部１３の他端部１３ｂにおいて隣合う第１の部材１４のほぼ中間位置に設けられそれぞれ第１の部材１４の貫通孔１４ａと袋１０の長手方向において合致する貫通孔１５ａを備える複数の第２の部材１５からなり、遠隔操作手段１６は第１の部材１４と第２の部材１５の各貫通孔１４ａ、１５ａを引抜き可能に貫通するようにして配置されたワイヤ１６からなるものである。ワイヤ１６の上端部は目地空間４外の作業者により操作可能な場所に配置されている。【００２２】  この袋１０の折込み部１３を折込んで、袋が拡開した状態の横断面面積の４０〜５０％程度の面積とし、第１の部材１４と第２の部材１５にワイヤ１６を通すことにより折込み部１３は折込まれた状態に保持される。図７において破線は袋１０が拡開した状態を示している。【００２３】  次いでこの折込んだ状態の袋１０の折込み部１３以外の部分に陸上において液状充填材５を底部まで注入充填する。そしてこの充填材を充填しかつ折込んだ状態の袋１０を図８に示すようにパイプ３内の目地空間４内に吊り降ろす。袋１０は折込まれた状態でありかつ折込み部１３を除く部分に充填材５が充填されているので、充填材の重みで袋１０は目地空間４内の水中を容易に下降する。【００２４】  袋１０の底面が目地空間４の底面に着床した後ワイヤ１６を第１の部材１４、第２の部材１５から徐々に引抜き袋１０を徐々に拡開可能な状態に切り換える。【００２５】  この状態でさらに充填材５を袋１０に注入する。袋１０の折込み部１３は充填材５の圧力により最下部から徐々に押し開かれ、充填材の充填を継続することにより膨らみ部が上部まで広がり目地空間４の壁面すなわちパイプ３の内周面３ａに拡開し膨らんだ袋１０の外周面１０ｂが圧着する。【００２６】充填を完了した後所定時間が経過すると充填材が冷却し固化することにより目地空間４の止水が完成する。【００２７】  この実施形態は、目地空間の深さがたとえば３０ｍを超える高深度の水中目地空間の止水に適している。【００２８】  図９は、袋折込み保持手段の他の実施形態を示す斜視図である。この実施形態において袋折込み保持手段は袋の折込み部１３の一端部１３ａと他端部１３ｂを開閉自在に結合するファスナー１７であり、遠隔操作手段はファスナー１７の開閉用つまみ１８に固定されたワイヤ１９である。
袋１０の折込み部１３を折込み、このファスナー１７を閉じることにより、折込み部１３は折込まれた状態に保持され、ワイヤ１９を引張り上げてファスナー１７を開くことにより折込み部１３は拡開可能な状態となる。
上記各実施形態において、液状充填材としてはアスファルトマスチックを使用しているが、液状充填材としては、アスファルトマスチックのほか発泡ウレタン等の発泡樹脂や溶解した液状ゴム等他の材料にも本発明の方法は適用することができる。
【発明の効果】
【００２９】  以上各実施形態について詳細に述べたように、本発明の止水方法によれば、目地止水用の袋を折込んだ状態でその底部に錘を入れて目地空間内に吊り降ろし、袋の底面が目地空間の底面に着床した後液状充填材を袋に注入し、液状充填材の圧力により袋の折込みを押し開き、目地空間の壁面に袋の外側面が圧着するまで液状充填材の充填を継続するので、液状充填材が目地空間内の水に直接接触することがなくその分液状充填材の冷却固化が防止され袋の下部のすみずみまで液状充填材が充填され、完全な止水を達成することができる。
【００３０】  また、本発明の他の止水方法によれば、袋を折込んだ状態と袋を拡開可能な状態との間に切り換えることが可能な袋折込み保持手段と目地空間外からの遠隔操作によりこの袋折込み保持手段を操作して袋を折込んだ状態から拡開可能な状態に切り換える遠隔操作手段とを備える目地止水用の袋を折込んだ状態で袋に液状充填材を充填して目地空間内に吊り降ろし、袋の底面が目地空間の底面に着床した後遠隔操作手段により袋折込み保持手段を操作して袋を拡開可能な状態に切り換え、袋に液状充填材を注入し液状充填材の圧力により袋の折込みを押し開き、目地空間の壁面に袋の外側面が圧着するまで液状充填材の充填を継続するので、液状充填材が目地空間内の水に直接接触することがなくその分液状充填材の冷却固化が防止され袋の下部のすみずみまで液状充填材が充填され、完全な止水を達成することができる。
【図面の簡単な説明】
【図１】本発明の１実施形態を示す平面図である。
【図２】同実施形態に使用する袋に錘を入れた状態を示す斜視図である。
【図３】同実施形態に使用する袋を着床させた状態を示す斜視図である。
【図４】同実施形態に使用する袋に充填材を充填する途中の状態を示す斜視図である。
【図５】同実施形態において袋に充填材を充填した状態を示す斜視図である。
【図６】同実施形態において充填材の充填を完了した状態を示す平面図である。
【図７】本発明の他の実施形態に使用する袋を示す斜視図である。
【図８】同実施形態において、充填材を充填した袋を吊り降ろす工程を示す平面図である。
【図９】袋折込み保持手段の他の例を示す斜視図である。
【図１０】従来の二重鋼管矢板の継手部の止水方法を示す平面図である。
【符号の説明】
１、１０        袋
２              錘
３              パイプ
４              目地空間
５              液状充填材
６、６’        鋼管
７              継手
８              Ｔ形鋼
１１            袋折込み保持手段
１３            折込み部
１４            第１の部材
１５            第２の部材
１６、１９      ワイヤ
１７            ファスナー
【図１】
2005054553.tif 000003
【図２】
2005054553.tif 000004
【図３】
2005054553.tif 000005
【図４】
2005054553.tif 000006
【図５】
2005054553.tif 000007
【図６】
2005054553.tif 000008
【図７】
2005054553.tif 000009
【図８】
2005054553.tif 000010
【図９】
2005054553.tif 000011
【図１０】
2005054553.tif 000012